(57)【要約】【課題】金属製枠材及び合成樹脂製枠材を有する枠部材同士が連結されつつも見込み方向の幅を狭く抑え意匠性に優れた枠体を有する建具を提供する。【解決手段】面材収容部を有し押出成形品でなる金属製枠材及び合成樹脂製枠材が組み合わされている複数の枠部材のうちの互いに隣り合う２つの枠部材は、一方の枠部材の端部が他方の枠部材の端部に挿入された状態で接合されており、他方の枠部材の合成樹脂製枠材の面材対向部は、面材収容部において面材が挿入される開放側に薄肉部と、面材収容部における奥側に厚肉部と、を有し、一方の枠部材の合成樹脂製枠材の挿入される側の端部は、他方の枠部材の薄肉部と金属製枠材との間に挿入されて薄肉部に当接され、一方の枠部材の合成樹脂製枠材の挿入される側の端部より突出している金属製枠材は、厚肉部と対向すると共に厚肉部側に張り出す張出部を有している。【選択図】図４
2018003251.tif 000002
【特許請求の範囲】
【請求項１】
面材と、
前記面材の周端部を収容する面材収容部を有し押出成形品でなる金属製枠材及び合成樹脂製枠材が組み合わされている複数の枠部材と、
を有し、
前記複数の枠部材のうちの互いに隣り合う２つの前記枠部材は、
一方の前記枠部材の端部が他方の前記枠部材の端部に挿入された状態で、前記他方の枠部材側から挿通されて前記一方の枠部材に螺合されるビスにより接合されており、
前記他方の枠部材の前記合成樹脂製枠材の、前記面材収容部を形成する面材対向部は、前記面材収容部において前記面材が挿入される開放側に位置し厚みが薄い薄肉部と、前記面材収容部における奥側に位置し厚みが厚い厚肉部と、を有し、
前記一方の枠部材の前記合成樹脂製枠材において挿入される側の前記端部は、前記他方の枠部材の前記薄肉部と前記金属製枠材との間に挿入されて前記薄肉部に当接され、
前記一方の枠部材の前記金属製枠材は、前記合成樹脂製枠材における前記挿入される側の端部より突出している部位が、前記厚肉部と対向すると共に前記厚肉部側に張り出す張出部を有していることを特徴とする建具。
【請求項２】
請求項１に記載の建具であって、
前記張出部は、前記厚肉部に当接していることを特徴とする建具。
【請求項３】
請求項１または請求項２に記載の建具であって、
前記張出部は、前記一方の枠部材における前記金属製枠材の挿入される側の端部側が、先端側に向かって前記厚肉部との間隔が広くなる傾斜部を備えていることを特徴とする建具。
【請求項４】
面材と、
前記面材の周端部を収容する面材収容部を有し押出成形品でなる金属製枠材及び合成樹脂製枠材が組み合わされている複数の枠部材と、
を有し、
前記複数の枠部材のうちの互いに隣り合う２つの前記枠部材は、
一方の前記枠部材の端部が他方の前記枠部材の端部に挿入された状態で、前記他方の枠部材側から挿通されて前記一方の枠部材に螺合されるビスにより接合されており、
前記他方の枠部材の前記合成樹脂製枠材の、前記面材収容部を形成する面材対向部は、前記面材収容部において前記面材が挿入される開放側に位置し厚みが薄い薄肉部と、前記面材収容部における奥側に位置し厚みが厚い厚肉部と、を有し、
前記一方の枠部材の前記合成樹脂製枠材において挿入される側の前記端部は、前記他方の枠部材の前記薄肉部と前記金属製枠材との間に挿入されて前記薄肉部に当接され、
前記金属製枠材の、前記一方の枠部材の前記合成樹脂製枠材の前記挿入される側の端部より突出している部位は、前記厚肉部と対向し、前記厚肉部との間にスペーサーを有していることを特徴とする建具。
【請求項５】
請求項４に記載の建具であって、
前記スペーサーは、前記金属製枠材と前記厚肉部とのうちのいずれか一方に設けられており、他方に当接していることを特徴とする建具。
【請求項６】
請求項４または請求項５に記載の建具であって、
前記スペーサーは、前記一方の枠部材の先端側に向かって前記他方の枠部材との間隔が広くなる傾斜部を備えていることを特徴とする建具。
【請求項７】
請求項１乃至請求項６のいずれかに記載の建具であって、
前記面材対向部は、中空部分を有しない板状をなしていることを特徴とする建具。
【発明の詳細な説明】
【技術分野】
【０００１】
本発明は、面材の周端部を収容する面材収容部を有し金属製枠材及び合成樹脂製枠材が組み合わされている複数の枠部材を有する建具に関する。
【背景技術】
【０００２】
面材の周端部を収容する面材収容部を有し金属製枠材及び合成樹脂製枠材が組み合わされている複数の枠部材を有する建具としては、本体の内部にガラス取付用の凹部を有する金属製室外部材と、この金属製室外部材の室内面に取り付けた樹脂製室内側部材とを備えた金属樹脂複合框を有するガラス障子を含む建具が知られている（例えば、特許文献１参照）。
【０００３】
上記建具のような、ガラス障子の上框及び下框をなす横框と戸当り框及び召合せ框をなす縦框は、それぞれ樹脂製室内側部材の、金属製室外側部材の凹部を形成する縦部と対向する一側部は薄板状であり、金属製室外側部材の縦部の室内面に接している。そして、横框と縦框との連結部は、縦框の縦部が切り欠かれており、縦部が切り欠かれている縦框の凹部に横框の凹部が挿入され、横框の一側部の室内面と縦框の一側部の室外面とが接する、或いは、近接している。
【発明の概要】
【発明が解決しようとする課題】
【０００４】
樹脂製の框のような長尺部材は、熱による伸縮量が大きいので、例えば、縦框と横框との接合部は、いずれか一方の合成樹脂製の框が他方の合成樹脂製の框側に入り込ませないと、合成樹脂製の框が収縮した際に縦框と横框との間に隙間が生じてしまい意匠性が損なわれる。このため、例えば、横框の樹脂製室内側部材を縦框の凹部の奥まで挿入させた状態で縦框と横框とを固定すると、縦框の室内側に臨む面と横框の室内側に臨む面との段差が大きくなり、框の見込み幅が広くなるとともに、意匠性も損なわれる。また、挿入された横框の樹脂製室内側部材が熱等による伸縮量だけ縦框の室内側部材に横框の樹脂製室内側部材を入り込ませて固定すると、縦框の室内側部材と横框の樹脂製室内側部材とが見込み方向に重なっていない部分では、横框の金属製室外部材と縦框の樹脂製室内側部材との間に隙間が生じてしまう。
【０００５】
上記のようなガラス障子が備える金属樹脂複合框は、横框と縦框とが、縦框側から挿入されて横框に螺合されるビスにより連結されると、ビスの螺合により横框が回転する長手方向に沿う軸周りに回転する力が横框に作用する。このとき、横框の金属製室外部材と縦框の樹脂製室内側部材との間に隙間が生じていると、ビスの螺合により横框が回転し、横框が縦框に対して捻れて連結されてしまう虞がある。
【０００６】
本発明は、かかる課題に鑑みてなされたものであり、その目的とするところは、金属製枠材及び合成樹脂製枠材を有する枠部材同士が連結されつつも見込み方向の幅を狭く抑え意匠性に優れた枠体を有する建具を提供することにある。
【課題を解決するための手段】
【０００７】
かかる目的を達成するために本発明の建具は、面材と、前記面材の周端部を収容する面材収容部を有し押出成形品でなる金属製枠材及び合成樹脂製枠材が組み合わされている複数の枠部材と、を有し、前記複数の枠部材のうちの互いに隣り合う２つの前記枠部材は、一方の前記枠部材の端部が他方の前記枠部材の端部に挿入された状態で、前記他方の枠部材側から挿通されて前記一方の枠部材に螺合されるビスにより接合されており、前記他方の枠部材の前記合成樹脂製枠材の、前記面材収容部を形成する面材対向部は、前記面材収容部において前記面材が挿入される開放側に位置し厚みが厚い厚肉部と、前記面材収容部における奥側に位置し厚みが薄い薄肉部と、を有し、前記一方の枠部材の前記合成樹脂製枠材において挿入される側の前記端部は、前記他方の枠部材の前記薄肉部と前記金属製枠材との間に挿入されて前記薄肉部に当接され、前記一方の枠部材の前記金属製枠材は、前記合成樹脂製枠材における前記挿入される側の端部より突出している部位が、前記厚肉部と対向すると共に前記厚肉部側に張り出す張出部を有していることを特徴とする建具である。
【０００８】
このような建具によれば、互いに隣り合っている２つの枠部材のうちの一方の枠部材の合成樹脂製枠材の挿入される側の端部が、他方の枠部材の薄肉部と金属製枠材との間に挿入されて薄肉部に当接されているので、一方の枠部材の合成樹脂製枠材の挿入される側の端部を、他方の枠部材の厚肉部と金属製枠材との間まで挿入されている場合より、面材の面外方向における幅を薄くすることができるとともに、２つの枠部材の段差を小さく抑えることが可能である。
【０００９】
また、一方の枠部材の合成樹脂製枠材の挿入される側の端部は、他方の枠部材の薄肉部と金属製枠材との間に挿入されており、一方の枠部材において合成樹脂製枠材より挿入される端部側に突出している金属製枠材は他方の枠部材の厚肉部と対向するとともに、厚肉部側に張り出している張出部を有しているので、一方の枠部材において合成樹脂製枠材より挿入される端部側に突出している金属製枠材と他方の枠部材の合成樹脂製枠材との間に生じる隙間をより狭く抑えることが可能である。
【００１０】
このため、一方の枠部材の端部が他方の枠部材の端部に挿入された状態で、他方の枠部材側から挿通されて一方の枠部材に螺合されるビスにより接合されたとしても、ビスの螺合により一方の枠部材が回転して他方の枠部材に対して捻れて連結されてしまうことを抑制することが可能である。
【００１１】
かかる建具であって、前記張出部は、前記厚肉部に当接していることが望ましい。
このような建具によれば、張出部が厚肉部に当接しているので、一方の枠部材において合成樹脂製枠材より端部側に突出している金属製枠材と他方の枠部材の合成樹脂製枠材との間に隙間が生じない。このため、他方の枠部材側から挿通されて一方の枠部材に螺合されるビスにより接合されたとしても、ビスの螺合により一方の枠部材が回転して他方の枠部材に対して捻れて連結されてしまうことを防止することが可能である。
【００１２】
かかる建具であって、前記張出部は、前記一方の枠部材における前記金属製枠材の挿入される側の端部側が、先端側に向かって前記厚肉部との間隔が広くなる傾斜部を備えていることが望ましい。
このような建具によれば、他方の枠部材の厚肉部と対向する位置まで挿入される一方の枠部材の金属製枠材が有する張出部が、金属製枠材の先端側に向かって厚肉部との間隔が広くなる傾斜部を備えているので、一方の枠部材を他方の枠部材に容易に挿入することが可能である。
【００１３】
また、面材と、前記面材の周端部を収容する面材収容部を有し押出成形品でなる金属製枠材及び合成樹脂製枠材が組み合わされている複数の枠部材と、を有し、前記複数の枠部材のうちの互いに隣り合う２つの前記枠部材は、一方の前記枠部材の端部が他方の前記枠部材の端部に挿入された状態で、前記他方の枠部材側から挿通されて前記一方の枠部材に螺合されるビスにより接合されており、前記他方の枠部材の前記合成樹脂製枠材の、前記面材収容部を形成する面材対向部は、前記面材収容部において前記面材が挿入される開放側に位置し厚みが厚い厚肉部と、前記面材収容部における奥側に位置し厚みが薄い薄肉部と、を有し、前記一方の枠部材の前記合成樹脂製枠材において挿入される側の前記端部は、前記他方の枠部材の前記薄肉部と前記金属製枠材との間に挿入されて前記薄肉部に当接され、前記金属製枠材の、前記一方の枠部材の前記合成樹脂製枠材の前記挿入される側の端部より突出している部位は、前記厚肉部と対向し、前記厚肉部との間にスペーサーを有していることを特徴とする建具である。
【００１４】
このような建具によれば、互いに隣り合っている２つの枠部材のうちの一方の枠部材の合成樹脂製枠材の挿入される側の端部が、他方の枠部材の薄肉部と金属製枠材との間に挿入されて薄肉部に当接されているので、一方の枠部材の合成樹脂製枠材の挿入される側の端部を、他方の枠部材の厚肉部と金属製枠材との間まで挿入されている場合より、面材の面外方向における幅を薄くすることができるとともに、２つの枠部材の段差を小さく抑えることが可能である。
【００１５】
また、一方の枠部材の合成樹脂製枠材の挿入される側の端部は、他方の枠部材の薄肉部と金属製枠材との間に挿入されており、一方の枠部材において合成樹脂製枠材より挿入される端部側に突出している金属製枠材は他方の枠部材の厚肉部と対向するとともに、厚肉部との間にスペーサーが設けられているので、一方の枠部材において合成樹脂製枠材より挿入される端部側に突出している金属製枠材と他方の枠部材の合成樹脂製枠材との間に生じる隙間をより狭く抑えることが可能である。
【００１６】
このため、一方の枠部材の端部が他方の枠部材の端部に挿入された状態で、他方の枠部材側から挿通されて一方の枠部材に螺合されるビスにより接合されたとしても、ビスの螺合により一方の枠部材が回転して他方の枠部材に対して捻れて連結されてしまうことを抑制することが可能である。
【００１７】
かかる建具であって、前記スペーサーは、前記金属製枠材と前記厚肉部とのうちのいずれか一方に設けられており、他方に当接していることが望ましい。
このような建具によれば、金属製枠材と前記厚肉部とのうちの一方に設けられているスペーサーが他方に当接しているので、金属製枠材と厚肉部との間に隙間は生じない。このため、他方の枠部材側から挿通されて一方の枠部材に螺合されるビスにより接合されたとしても、ビスの螺合により一方の枠部材が回転して他方の枠部材に対して捻れて連結されてしまうことを防止することが可能である。
【００１８】
かかる建具であって、前記スペーサーは、前記一方の枠部材の先端側に向かって前記他方の枠部材との間隔が広くなる傾斜部を備えていることが望ましい。
このような建具によれば、他方の枠部材の厚肉部と対向する位置まで挿入される一方の枠部材に設けられているスペーサーは、一方の枠部材の先端側に向かって他方の枠部材との間隔が広くなる傾斜部を備えているので、一方の枠部材を他方の枠部材に容易に挿入することが可能である。
【００１９】
かかる建具であって、前記面材対向部は、中空部分を有しない板状をなしていることが望ましい。
このような建具によれば、面材対向部が、中空部分を有しない板状をなしているので、面材の面外方向における幅をより薄くすることができるとともに、２つの枠部材の段差をより小さく抑えることが可能である。
【発明の効果】
【００２０】
本発明によれば、金属製枠材及び合成樹脂製枠材を有する枠部材同士が連結されつつも見込み方向の幅を狭く抑え意匠性に優れた枠体を有する建具を提供することが可能である。
【図面の簡単な説明】
【００２１】
【図１】本実施形態に係る建具を室内側から見た内観図である。
【図２】上框を示す斜視図である。
【図３】左の縦框を示す斜視図である。
【図４】上框と左の縦框とが接合される様子を示す平面図である。
【図５】上框と左の縦框とが接合された状態を示す斜視図である。
【図６】スペーサーが設けられた上框を示す斜視図である。
【発明を実施するための形態】
【００２２】
以下、本発明の一実施形態に係る建具について図面を参照して説明する。
本実施形態の建具１は、例えば、図１に示すような建物等に設けられる窓枠２に装着される２枚の障子３を備えた引き違い窓用の建具１を例に挙げて説明する。
【００２３】
以下の説明においては、建物等に設けられている状態の建具１を室内側から見たときに、上下となる方向を上下方向、左右となる方向を左右方向、室内外方向である奥行き方向を見込み方向として示す。建具１の各部位であっても、また、建具１を構成する各部材については単体の状態であっても、建物等に取り付けられた状態にて上下方向、左右方向、見込み方向となる方向にて方向を特定して説明する。
【００２４】
２枚の障子３は各々、面材としてのガラス板４と、ガラス板４の周端部を収容して矩形をなす框体５と、を有している。
【００２５】
框体５は、ガラス板４の上下に配置される上框６及び下框７と、ガラス板４の左右に配置される左右の縦框８とが接合されて矩形状をなしている。上框６、下框７及び左右の縦框８はいずれも、図２、図３に示すように、室外側に配置されて押出成形材でなるアルミニウムなどの金属製の室外部材６１、８１と、室内側に配置され押出成形材でなる合成樹脂製の室内部材６２、８２とが、互いに係止されて一体をなしている。ここで、下框7については図示を省略している。
【００２６】
上框６、下框７及び左右の縦框８には、矩形状に接合された框体５の内周側に、ガラス板４の周端部が収容されるようにガラス収容部５１が各々設けられている。ここで、上框６、下框７及び左右の縦框８が枠部材に相当し、室外部材６１、８１が金属製枠材に相当し、室内部材６２、８２が合成樹脂製枠材に相当する。
以下、上框６及び下框７と左右の縦框８との接合部について、上框６と左の縦框８との接合部を例に挙げて説明する。
【００２７】
上框６の室外部材６１は、窓枠２を形成する上枠２１に設けられているレール（不図示）が挿入され下方に窪むレール挿入溝６１ａをなす室外壁部６１ｂ及び室内壁部６１ｃと、室外壁部６１ｂと室内壁部６１ｃとの下端を繋ぐ底部６１ｄと、室外壁部６１ｂから下方に延出されガラス収容部５１に収容されたガラス板４と室外側にて対向する室外上ガラス対向部６１ｅと、底部６１ｄから室内側に延出されて上框６の室内部材６２が係止される上框係止片６１ｆと、底部６１ｄの下側にビス１０が螺合されるビス螺合部６１ｇが、押出成形により長手方向に沿って設けられている。また、室内壁部６１ｃの上端部であって、左右方向における端部近傍に、室内側に張り出す張出部６１ｈが設けられている。
【００２８】
上框６の室内部材６２は、室内壁部６１ｃの室内側に設けられる室内樹脂壁部６２ａと、室内樹脂壁部６２ａの上端に設けられ室内壁部６１ｃの上端に係止される室内上係止片６２ｂと、室内樹脂壁部６２ａから下方に延出され室外ガラス対向部６１ｅとともにガラス収容部５１を形成しガラス板４と室内側にて対向する室内上ガラス対向部６２ｃと、室内樹脂壁部６２ａ室内ガラス対向部６２ｃとの境界部分から室外側に延出されて上框係止片６１ｆに係止される室内下係止片６２ｄと、を有している。
【００２９】
上框６は、室外部材６１が室内部材６２の左右方向の両側に突出する状態で係止されている。室外部材６１に設けられている張出部６１ｈは、室内部材より突出している部位に設けられている。
【００３０】
左の縦框８の室外部材８１は、矩形状の中空部８１ａと、中空部８１ａの室外側及び室内側から各々左方向に延出された室外延出部８１ｂ及び室内延出部８１ｃと、中空部８１ａの室外側の縁から右方向に延出されガラス収容部５１に収容されたガラス板４と室外側にて対向する室外ガラス対向部８１ｄと、中空部８１ａと室内延出部８１ｃとにそれぞれ設けられて左の縦框８の室内部材８２が係止される縦框係止片８１ｅと、が設けられている。
【００３１】
左の縦框８の室内部材８２は、中空部８１ａ及び室内延出部８１ｃの室内側を覆う室内縦壁部８２ａと、室内縦壁部８２ａの左右の両端部に設けられ室外部材８１の縦框係止片８１ｅに係止される２つの室内縦係止片８２ｂと、室内縦壁部８２ａの右側の端部から延出されて室外ガラス対向部８１ｄとともにガラス収容部５１を形成しガラス板４と室内側にて対向する室内縦ガラス対向部８２ｃと、を有している。
【００３２】
上框６と左の縦框８とは、左の縦框８のガラス収容部５１の上端部に、上框６の左端部が挿入され、左の縦枠８側から上框６の長手方向に沿って挿入されたビス１０が、上框６のビス螺合部６１ｇに螺合されて接合されている。
【００３３】
合成樹脂製の室内部材６２、８２は、熱による伸縮量が大きく伸縮し易いので、上框６室内部材８２の先端を、左の縦框８の室内部材８２に突き当てて接合すると、例えば室温の変化により上框６が縮むと、左の縦框８の室内部材８２との間に隙間が生じ意匠性が損なわれる。このため、上框６の室内部材６２が、縦框８の室内部材８２の室外側にて見込み方向に重なるように挿入された状態で、上框６と左の縦框８とが接合されていることが望ましい。
【００３４】
しかしながら、上框６が左の縦框８のガラス収容部５１内に挿入されると、障子３の室内側において上框６と左の縦框８との接合部にて大きな段差が生じるため意匠性が損なわれる。
【００３５】
そこで、本実施形態の建具１は、上框６と左の縦框８との接合部にて段差をより小さくするために、上框６と左の縦框８が見込み方向において重なる部位、すなわち、上框６と左の縦框８においてガラス収容部５１を形成し、挿入されたガラス板４と対向する面材対向部としての室内上ガラス対向部６２ｃ及び室内縦ガラス対向部８２ｃの厚みをより薄く板状にしている。このとき、室内上ガラス対向部６２ｃ及び室内縦ガラス対向部８２ｃには中空部を設けることなく、中実の板状として押出成形したときに反り等が生じること無く所望の形を形成可能な厚みに設定している。
【００３６】
また、上框６が挿入されて見込み方向に重なる縦框８の室内縦ガラス対向部８２ｃは、室内縦壁部８２ａ側が、ガラス収容部５１にガラス板４が挿入される開放側より厚肉に形成している。すなわち、室内縦ガラス対向部８２ｃの室内縦壁部８２ａ側が厚肉部８２ｄをなし、開放側が薄肉部８２ｅをなし、厚肉部８２ｄと薄肉部８２ｅとの境界部分に段差が設けられている。このとき、左の縦框８の薄肉部８２ｅは、ガラス板４が挿入される端部（右端部）側からの幅及び厚みが、熱による上框６の長手方向の伸縮量より広く、且つ、押出成形したときに室内側の面にヒケが生じない、或いは、薄肉部８２ｅに反りが生じないような幅及び厚みに設定されている。
【００３７】
上框６は、室外部材６１が室内部材６２より左の縦框８側に突出するように、室外部材６１と室内部材６２とが組み合わされている。このとき、室外部材６１の室内部材６２に対する突出量は、上框６の室外部材６１が、左の縦框８のガラス収容部５１の底部６１ｄに当接されたときに、上框６の室内部材６２の左側の先端が、左の縦框８に設けられた厚肉部８２ｄと薄肉部８２ｅとの境界近傍に位置するように設定されている。
【００３８】
このとき、上框６及び左の縦框８の室外部材６１、８１及び室内部材６２、８２はいずれも押出成形部材なので、各々の部材の長手方向においては断面形状が変化しない。このため、押出成形されて切断された室外部材８１と室内部材８２とでなる縦框８のガラス収容部５１に、押出成形されて切断された室外部材６１と室内部材６２とでなる上框６の左端を挿入し、左の縦框８の薄肉部８２ｅと上框６の室内上ガラス対向部６２ｃとが見込み方向において重なるように配置されると、上框６の室外部材６１と左の縦框８の厚肉部８２ｄとの間に隙間が生じてしまう。このような状態で、左の縦框８側から上框６の長手方向に沿ってビス１０を進入させ上框６に螺合させて左の縦框８と上框６とを接合すると、上框６が回転し左の縦框８に対して上框６が捻れた状態で接合されてしまう場合がある。
【００３９】
このため、本実施形態の建具１は、図４、図５に示すように、左の縦框８のガラス収容部５１に上框６の左端を挿入したときに、左の縦框８の厚肉部８２ｄと対向する、上框６の室外部材６１の室内壁部６１ｃに厚肉部８２ｄ側に張り出す張出部６１ｈを設けている。この張出部６１ｈは、押出成形されて切断された上框６の室外部材６１の室内側の室内壁部６１ｃを室内側に張り出させるべく鍛造による加工を施して形成している。
【００４０】
本実施形態の張出部６１ｈは、押出成形されて切断された上框６の室外部材６１の室内壁部６１ｃにおいて、上框６の室外部材６１の左右方向における端部、すなわち、挿入される側の端部より僅かに中央側に鍛造により設けられているので、張出部６１ｈの左右方向における両側に、最も張り出している最張出部６１ｉと張り出していない部位との間が、最張出部６１ｉに向かって張出量が漸次大きくなるテーパー状をなす傾斜部６１ｊを有している。
【００４１】
本実施形態の建具１によれば、互いに隣り合う上框６及び左の縦框８のうちの上框６の室内部材６２の端部が、左の縦框８の薄肉部８２ｅと室外部材８１との間に挿入されて薄肉部８２ｅに当接されているので、上框６の室内部材６２の端部を、左の縦框８の厚肉部８２ｄと室外部材８１との間まで挿入されている場合より、ガラス板４の面外方向における幅を薄くすることができるとともに、上框６と左の縦框８との段差を小さく抑えることが可能である。
【００４２】
また、上框６の室内部材６２の端部は、左の縦框８の薄肉部８２ｅと室外部材８１との間に挿入されており、上框６において室内部材６２より挿入される端部側に突出している室外部材６１は左の縦框８の厚肉部８２ｄと対向するとともに、厚肉部８２ｄ側に張り出している張出部６１ｈを有しているので、上框６において室内部材６２より挿入される端部側に突出している室外部材６１と左の縦框８の室内部材８２との間に生じる隙間をより狭く抑えることが可能である。
【００４３】
このため、上框６の端部が左の縦框８の端部に挿入された状態で、左の縦框８側から挿通されて上框６に螺合されるビス１０により接合されたとしても、ビス１０の螺合により上框６が回転して左の縦框８に対して捻れて連結されてしまうことを抑制することが可能である。
【００４４】
また、張出部６１ｈが厚肉部８２ｄに当接しているので、上框６において室内部材６２より挿入される端部側に突出している室外部材６１と左の縦框８の室内部材８２との間に隙間が生じることを防止することが可能である。このため、左の縦框８側から挿通されて上框６に螺合されるビス１０により接合されたとしても、ビス１０の螺合により上框６が回転して左の縦框８に対して捻れて連結されてしまうことを防止することが可能である。
【００４５】
また、左の縦框８の厚肉部８２ｄと対向する位置まで挿入される上框６の室外部材６１が有する張出部６１ｈが、室外部材６１の先端側に向かって厚肉部８２ｄとの間隔が広くなる傾斜部６１ｊを備えているので、上框６を左の縦框８に容易に挿入することが可能である。
【００４６】
また、室内上ガラス対向部６２ｃ及び室内縦ガラス対向部８２ｃが、中空部分を有しない板状をなしているので、ガラス板４の面外方向における幅をより薄くすることができるとともに、上框６と左の縦框８との段差をより小さく抑えることが可能である。
【００４７】
上記実施形態においては、上框６の室外部材６１の室内壁部６１ｃに張出部６１ｈを設けて、左の縦框８と上框６とを接合するビス１０の螺合により上框６が回転して左の縦框８に対して捻れて連結されてしまうことを抑制する例について説明したがこれに限るものではない。例えば、図６に示すように、上框６の室外部材６１の室内壁部６１ｃに厚肉部８２ｄ側にスペーサー９を設けても構わない。
【００４８】
この場合には、上框６の室内部材６２の端部は、左の縦框８の薄肉部８２ｅと室外部材８１との間に挿入されているので、上框６においてにおいて室内部材６２より挿入される端部側に突出している室外部材６１は左の縦框８の厚肉部８２ｄと対向するとともに、厚肉部８２ｄとの間にスペーサー９が設けられているので、上框６において室内部材６２より挿入される端部側に突出している室外部材６１と左の縦框８の室内部材８２との間に生じる隙間をより狭く押さえることが可能である。
【００４９】
このため、上框６の端部が左の縦框８の端部に挿入された状態で、左の縦框８側から挿通されて上框６に螺合されるビス１０により接合されたとしても、ビス１０の螺合により上框６が回転して左の縦框８に対して捻れて連結されてしまうことを抑制することが可能である。
【００５０】
また、スペーサー９が厚肉部８２ｄに当接している場合には、上框６において室内部材６２より挿入される端部側に突出している室外部材６１と左の縦框８の室内部材８２との間に隙間が生じない。このため、左の縦框８側から挿通されて上框６に螺合されるビス１０により接合されたとしても、ビス１０の螺合により上框６が回転して左の縦框８に対して捻れて連結されてしまうことを防止することが可能である。
【００５１】
また、左の縦框８の厚肉部８２ｄと対向する位置まで挿入される上框６の室外部材６１に設けられているスペーサー９が、上框６の先端側に向かって厚肉部８２ｄとの間隔が広くなる傾斜部９ａを備えているので、上框６を左の縦框８に容易に挿入することが可能である。ここで、スペーサー９は、厚肉部８２ｄに設けられていても構わず、また、上框６の室外部材６１及び厚肉部８２ｄのいずれにも設けられていても構わない。
【００５２】
上記の説明においては、上框６と左の縦框８との接合部を例に挙げて説明したが、上框６と右の縦框８との接合部、及び、下框７と左右の縦框８との接合部においても同様である。
【００５３】
また、上記実施形態においては、左の縦框８に上框６の左端を挿入して接合する例について説明したが、上框及び下框に縦框の上下端部を挿入して接合しても構わない。
また、上記実施形態においては、枠部材を框体としたが、例えば、ＦＩＸ窓用の建具の窓枠等であっても構わない
【００５４】
また、上記実施形態は、本発明の理解を容易にするためのものであり、本発明を限定して解釈するためのものではない。本発明は、その趣旨を逸脱することなく、変更、改良され得ると共に、本発明にはその等価物が含まれることはいうまでもない。
【符号の説明】
【００５５】
１  建具、４  ガラス板、６  上框、８  縦框、５１  ガラス収容部、９スペーサー、
９ａ  傾斜部、１０  ビス、６１  室外部材、６１ｈ  張出部、６１ｊ  傾斜部、
６２  室内部材、８１  室外部材、８２  室内部材、８２ｃ  室内縦ガラス対向部、
８２ｄ  厚肉部、８２ｅ  薄肉部、
【図１】
2018003251.tif 000003
【図２】
2018003251.tif 000004
【図３】
2018003251.tif 000005
【図４】
2018003251.tif 000006
【図５】
2018003251.tif 000007
【図６】
2018003251.tif 000008